(57)【要約】      （修正有）【課題】射出成形されたプラスチックピースとして構成され、特にマスカラブラシあるいはヘアカラーリング用ブラシである化粧用ブラシを提供する。【解決手段】化粧用ブラシは、本体５と、複数の剛毛２とを有し、本体から突き出ており、この剛毛部分を用いて化粧用製品に使用する。剛毛の一部分は、本体に対して一体接合されている第１剛毛６を形成し、第１剛毛は、本体と同じ第１プラスチック材から成る。第２剛毛７は、第１剛毛とは異なって本体に対し接合されている。本体は、貫通孔を備えている本体壁を有し、第２剛毛は、本体壁面に配置されている接合材９によって互いに一体接合され、貫通孔を介して延び、本体と接合材とが、互いに直接隣り合い、互いに粘着して接合されている。本体は、中空円柱の形状で、柄延長片３に対して一体接合されて構成される。第２剛毛は、第１剛毛より柔らかい。【選択図】図１
2009183702.tif 000002
【特許請求の範囲】
【請求項１】
化粧用ブラシ、特にマスカラブラシあるいはヘアカラーリング用ブラシであり、本体（５）と複数の剛毛（７、６；１５；１７；２１；２２；２６；２９；３１、３２）とを有する剛毛部分（２）を備えて構成される化粧用ブラシにして、上記複数の剛毛が上記本体（５）から突き出ており、これら複数の剛毛をもって化粧用製品を塗布可能とする、化粧用ブラシにおいて、
ａ）剛毛の一部分が、本体（５）に対して一体になって接合されている第１剛毛（６；１５；１７；２１；２２；２６；２９；３１、３２）を形成し、この第１剛毛（６；１５；１７；２１；２２；２６；２９；３１、３２）は、本体（５）と同じ第１プラスチック材から成っており、
ｂ）剛毛の他の部分が、本体（５）に対し第１剛毛（６；１５；１７；２１；２２；２６；２９；３１、３２）とは異なって接合されている第２剛毛（７）を形成しており、
ｃ）本体（５）が、貫通孔を備えている本体壁を有しており、第２剛毛（７）と背中合わせの本体壁の側に配された接合材を用いて、第２剛毛が互いに一体に接合されており、第２剛毛（７）が、貫通孔を介して延び、本体（５）と接合材（９）とが、互いに直接隣り合いかつ互いに粘着して接合されており、
ｄ）本体（５）が、中空円柱の形状でかつ柄延長片（３）に対して一体になって接合されて構成されており、
ｅ）第２剛毛（７）が、第１剛毛（６；１５；１７；２１；２２；２６；２９；３１、３２）より柔らかく、
ｆ）化粧用ブラシ（１）が、射出成形されたプラスチックピースの形状で構成される、
化粧用ブラシ。
【請求項２】
第２剛毛（７）が、堅固に接着されることによって、あるいは摩擦によって、あるいは形状に合わせて、本体（５）に対して接合されることを特徴とする、請求項１に記載の化粧用ブラシ。
【請求項３】
第２剛毛（７）が、第１プラスチック材とは異なる第２プラスチック材から成り、特に第１プラスチック材より柔らかいことを特徴とする、請求項１に記載の化粧用ブラシ。
【請求項４】
第２剛毛（７）が、夫々外側に鋭いテーパー状の円錐形状を有し、１°から５°の円錐角、特に約４°の円錐角であることを特徴とする、請求項１に記載の化粧用ブラシ。
【請求項５】
本体（５）が、縦軸（４）と、この縦軸（４）に関する円周方向とを有することと、第１及び第２剛毛（７、６；１５；１７；２１；２２；２６；２９；３１、３２）が、少なくともある断片で円周方向に交互に並んでいることとを特徴とする、請求項１に記載の化粧用ブラシ。
【請求項６】
円周部分（１３）が供給され、もっぱら第１又は第２剛毛（７、６；１５；１７；２１；２２；２６；２９；３１、３２）が配される円周部分が設けられ、これらの円周部分（１３）のうちの１つが、円周方向に２５°から９０°、特に３０°から６０°の中心角（α）幅で広がっていることを特徴とする、請求項５に記載の化粧用ブラシ。
【請求項７】
第１及び第２剛毛（７、２９；３１、３２）が、少なくとも部分的に互いに直接隣り合うことを特徴とする、請求項１に記載の化粧用ブラシ。
【請求項８】
本体（５）が、縦軸（４）を有し、第１剛毛（６；１５；１７；２１；２２；２６；２９；３１、３２）が、第２剛毛（７）より縦軸（４）方向に低い剛毛密度を有することを特徴とする、請求項１に記載の化粧用ブラシ。
【請求項９】
第１剛毛が、第２剛毛（７）と同じ基本的な幾何学形状を有することを特徴とする、請求項１に記載の化粧用ブラシ。
【請求項１０】
第１剛毛（６；１５；１７；２１；２２；２６；２９；３１、３２）が、第２剛毛（７）とは異なる幾何学形状を有することを特徴とする、請求項１に記載の化粧用ブラシ。
【請求項１１】
第１剛毛（６；１５；１７；２１；２２；２６；２９；３１、３２）が、夫々外側に広がっており、特に、扇形形状の断面を有することを特徴とする、請求項１に記載の化粧用ブラシ。
【請求項１２】
第１剛毛（１５）が、夫々長方形の断面を有することを特徴とする、請求項１に記載の化粧用ブラシ。
【請求項１３】
第１剛毛（６；１５；１７；２１；２２；２６；２９；３１、３２）が、本体（５）の縦軸（４）と本体（５）の半径方向とによって定義される平面で外側に鋭いテーパー状になっていることを特徴とする、請求項１に記載の化粧用ブラシ。
【請求項１４】
第１剛毛（２６）が、夫々段状の表面を有することを特徴とする、請求項１に記載の化粧用ブラシ。
【請求項１５】
第１剛毛（１７）が、夫々貫通孔（１８）を有することを特徴とする、請求項１に記載の化粧用ブラシ。
【請求項１６】
第１剛毛（２１；２２）が、夫々第１剛毛のフリー剛毛エッジ（８）において、特に部分円形状又はＶ字型形状のくぼみ（２３；２４）を有することを特徴とする、請求項１に記載の化粧用ブラシ。
【請求項１７】
第１剛毛（３１、３２）が、少なくとも部分的に第１剛毛の幾何学形状において又は幾何学的な大きさにおいて互いに異なることを特徴とする、請求項１に記載の化粧用ブラシ。
【発明の詳細な説明】
【技術分野】
【０００１】
本発明は、化粧用ブラシに関するものであり、より具体的にはマスカラブラシ又はヘアカラーリング用ブラシに関する。このブラシは、本体と複数の剛毛とを有する剛毛部分を備え、この複数の剛毛は本体から突き出ており、この複数の剛毛を使って化粧用製品を塗布することが可能である。
【背景技術】
【０００２】
このタイプの化粧用ブラシは、例えば特許文献１で開示されている。化粧用ブラシのこの実施例では、本体と全剛毛とが、互いに一体接合されている。例えばポリエチレンのような弾性のある柔らかいプラスチック材から成る。本体と、この本体に射出成形されている剛毛とは、ワンコンポーネント射出成形工程を用いて製造される。
【０００３】
特許文献２では、改善された製造方法が開示され、化粧用ブラシにも用いることが可能である。この方法は、２ステップ工程であり、２種類のプラスチック材が用いられている。この射出成形工程は、２Ｋ方法とも呼ばれる。１つの変形方法では、最初に、本体が堅固な中空円柱状構造として製造され、第２ステップで、溶融状態のプラスチック材が、最初に製造された本体の中空空間の中へ高圧のもとで追加射出される。射出圧力が高いため、溶融された第２プラスチック材が、中空の本体の壁を介して飛び出て、放射状に突き出ている剛毛の凹部に延びる。この方式で、本体が第１プラスチック材から成り、剛毛が第２プラスチック材から成る、大変に有益な化粧用ブラシを製造することが可能である。この製造方法は、実際に有効であると証明されている。この方法で製造された化粧用ブラシは、大変優れた性能特性を有する。
【０００４】
他の化粧用ブラシが、特許文献３〜８から知られている。
【０００５】
それにもかかわらず、このような化粧用ブラシへのユーザの要望と要求は、大きくなり続けている。
【先行技術文献】
【特許文献】
【０００６】
【特許文献１】ＤＥ２５５９２７３
【特許文献２】ＥＰ１５０７６４０Ｂ１
【特許文献３】ＷＯ２００６／１３０６４３Ａ２
【特許文献４】ＥＰ１０７０４６６Ａ２
【特許文献５】ＥＰ１４７５０１３Ａ１
【特許文献６】ＥＰ１６０２３００Ａ１
【特許文献７】ＷＯ２００７／１４６２１２Ａ１
【特許文献８】ＥＰ００３８５２４Ａ２
【発明の概要】
【発明が解決しようとする課題】
【０００７】
本発明の課題は、さらに改善された性能特性を有する、最初に述べたタイプの化粧用ブラシを提供することである。
【課題を解決するための手段】
【０００８】
この課題を満たすために、請求項１の特徴に従う化粧用ブラシについて述べる。本発明に従う化粧用ブラシでは、剛毛部分が、本体に対し一体となって接合されている第１剛毛を形成し、この第１剛毛は、本体と同じ第１プラスチック材から成る。本発明に従う化粧用ブラシの他の剛毛部分は、第２剛毛を形成し、この第２剛毛は、第１剛毛とは異なる方式で本体に対し接合されている。本体は、貫通孔を備えている本体壁を有し、第２剛毛は、接合材を用いて互いに一体となって接合され、この接合材は、第２剛毛から離れて対向している本体壁面上に配置され、貫通孔を介して延び、本体と接合材とは、互いに直接隣り合って配置され、互いに粘着方式で接合されている。本体は、中空円柱の形状で、柄延長片に対し一体接合されて構成される。第２剛毛は、第１剛毛より柔らかくかつ曲げやすい。この化粧用ブラシは、射出成形されたプラスチックピースとして構成される。
【０００９】
従って、本発明に従う化粧用ブラシでは、２種類の剛毛タイプが供給される。特に第１剛毛が本体に対し一体となって射出成形されるのに対して、これは第２剛毛にとってはこの方式に当てはまらない。ここでは、本体に対する一体接合は成されない。第１剛毛と第２剛毛とは、通常の射出成形工程の異なる工程ステップで製造されるのが好ましく、異なる性質を有する。各剛毛タイプは、１つあるいは複数の性能特性を目標とする方式で最適化することができる。従って、例えば、本体に対して永久にかつ一体として接合される第１剛毛は、完全に初期の乱雑状態にあるまつ毛あるいは髪の毛を、特に優れてかつ効率的に最初に取扱うために構成されることが可能である。最初の取扱いの枠内で、特にまつ毛あるいは髪の毛の部分分けが行われる。他方で、より柔らかい第２剛毛は、例えば、最初の取扱いの枠内で、予め分離あるいは区分されたまつ毛あるいは髪の毛を、特に優れてかつ効率的に続けて取扱うために構成される。後続の取扱いの枠内で、まつ毛あるいは髪の毛を梳かすことと、まつ毛あるいは髪の毛に化粧用製品をコーティングあるいは塗布することと同様に、特にまつ毛あるいは髪の毛を一層分離させかつ目立たせることが行われる。従って、本発明に従うブラシは、従来技術を超えて改善された性能特性によって特徴づけられる。
【００１０】
第２剛毛は、特に、特許文献２に従う従来技術で述べられている製造方法によって製造され、本体壁を介して射出される。この結果、第２剛毛が互いに特に良く粘着することにもなる。従って、本発明に従う化粧用ブラシは、２つのコンポーネント部分から成り、好ましくは２種類のプラスチック材から成るとしても、均質な射出成形されたプラスチックピース、すなわち特に１つだけの通常工程の枠内で製造されるコンポーネントである。これは、２つのコンポーネント部分の間で、すなわち、例えば本体と接合材との間でも強固に粘着（ａｄｈｅｓｉｖｅ）接合されることから何よりも明らかである。
【００１１】
本発明に従う化粧用ブラシの有益な構成は、請求項１の従属項の特徴から明らかになるだろう。
【００１２】
好適実施例に従うと、第２剛毛は、本体に対して堅固に接着（ｂｏｎｄｅｄ）、あるいは摩擦により、あるいは形状に合わせて接合される。これは、化粧用ブラシの寿命期間を通じて本体と第２剛毛との間に確実な接合を供給する。
【００１３】
もう１つの好適実施例に従うと、第２剛毛は、第１プラスチック材とは異なる第２プラスチック材から成る。この第２プラスチック材は、特に、第１プラスチック材より柔らかく曲げやすい、及び／又は、第１プラスチック材よりショア硬さが低い。異なる材料を選択することにより、両剛毛タイプの特性を、各役割、つまり、例えば第１剛毛が最適の区分効果をもたらす一方、第２剛毛が最適の分離行為、かつ梳かす行為、かつ塗布行為に対して特に有効に適合することができる。可能な限り化粧用製品を適用可能にするために、第２剛毛が、第１剛毛より柔らかくかつ曲げやすく構成されると有利である。このことが、相当する柔らかい材料によって達成され得る一方、また適切な形状と大きさとによって達成され得る。よって、第２剛毛は、例えば第１剛毛より細いあるいは薄い大きさにされることも好ましい。そして、第２剛毛は、第１剛毛より柔らかく曲げやすい動作をも有する。従って、第１剛毛は特に硬い剛毛であり、他方第２剛毛は柔らかい剛毛である。両剛毛タイプの材料用には、特にＡ４０からＡ９０、又はＤ３０からＤ８０のショア硬さが適切であり、第１剛毛の材料のショア硬さは、第２剛毛の材料のショア硬さより大きい方が好ましい。
【００１４】
もう１つの好適実施例に従うと、第２剛毛は、夫々、外側に、すなわち特に第２剛毛のフリー剛毛エッジの方へ、鋭くテーパー状をしている、１°から５°、特に約４°の円錐角である円錐形状を有する。第２剛毛のこの円錐形状は、一方では塗布行為にとって好都合であり、他方で、このタイプの剛毛幾何学形状は、上述した射出成形工程によって製造するのに容易である。剛毛の円錐形状は、射出成形から取り除くことを容易にする。マスカラブラシとしての化粧用ブラシの実施例では、第２剛毛は、特に０．２ｍｍから０．８ｍｍの範囲にある底面直径を有し、この底面直径は、本体との変わり目における（第２）剛毛の直径である。他方で、ヘアカラーリング用ブラシとしての化粧用ブラシの実施例では、第２剛毛の底面直径は、０．５ｍｍから２ｍｍの範囲であることが好ましい。
【００１５】
もう１つの好適実施例に従うと、本体は、縦軸とこの縦軸に関する円周方向とを有し、第１及び第２剛毛は、少なくとも断面で円周方向に交互に並ぶ。他方で、縦軸方向では、常に２つの剛毛タイプのうちの１つだけが、中心角位置において供給されるのが好ましい。これは、化粧用製品が用いられるとき、大抵は化粧用ブラシの回転動作とともになされ、少なくとも第１剛毛タイプを有する１つの部分と第２剛毛タイプを有する１つの部分とが関与することを確実にするので、両方の明確に最適化された特性が効力を生じる。
【００１６】
もう１つの好適実施例に従うと、円周部分は、第１又は第２剛毛だけが配置される範囲内で供給され、これらの円周部分のうちの１つは、２５°から９０°、特に３０°から６０°の範囲の中心角幅で円周方向に延びている。このように円周方向に延長することによって、化粧用ブラシの回転動作を用いて化粧用製品が使用される間、前段落で述べたように、剛毛の両タイプが、夫々、好適には特に最初に硬い第１剛毛、特に次に柔らかい第２剛毛が関与することを確実にする。
【００１７】
もう１つの好適実施例に従うと、第１及び第２剛毛は、少なくとも部分的に互いに直接隣り合って配置される。特に、隣り合う第１及び第２剛毛は、互いに接していることもあり得る。
【００１８】
さらに、これらの直接隣接している第１剛毛と第２剛毛の間には少なくとも部分的な形状の囲いがあってもよい。これは、２つの剛毛タイプのうちの１つに起因する、優れた区分する効果の存在する領域が、特に優れた分離行為、及び梳かす行為、及び塗布行為が存在する他の剛毛タイプを有する隣接領域へ直接推移することを達成する。
【００１９】
もう１つの好適実施例に従うと、第１剛毛は、第２剛毛と同じ基本的な幾何学形状を有する。次に、特に最適化された性能特性が、各２つの剛毛タイプに対し夫々達成され、特に、異なる材料を選択すること、及び／又は、異なる大きさに形成することに起因する。特に、第１剛毛もまた、外側に、すなわち特に第１剛毛のフリー剛毛エッジに向かって、鋭いテーパー状の円錐形状を有してもよい。両剛毛タイプが同じ基本的な円錐形状を有する場合には、第１剛毛は、特に、第２剛毛の底面直径より０．２ｍｍ大きい底面直径を有する。
【００２０】
もう１つの好適実施例に従うと、本体は縦軸を有し、第１剛毛は、第２剛毛より縦軸方向に剛毛密度が少ない。第２剛毛は、有益にも軸方向に剛毛密度がより多いために、特に、まつ毛あるいは髪の毛を部分的に区分するだけに効果がある第１剛毛と比較すると、所望する、より良く分離させ目立たせる効果が得られる。さらに、第２剛毛のより多い軸方向の剛毛密度は、使用される化粧用製品が、ただ１本のまつ毛あるいは１本の髪の毛に大変良く理想的に用いられ得る効果をも有する。
【００２１】
もう１つの好適実施例に従うと、第１剛毛は、第２剛毛とは異なる幾何学形状を有する。すでに上述したように、幾何学形状もまたパラメータであり、これにより、特性が目標とする方式で適合され得る。
【００２２】
もう１つの好適実施例に従うと、第１剛毛は、夫々外側へ広がっている。すなわち、特に広がりは、第１剛毛のフリー剛毛エッジの方向へ起こっている。第１剛毛は、扇形
（ｃｉｒｃｕｌａｒ  ｒｉｎｇ  ｓｅｃｔｏｒ）形状の断面を有することが好ましい。これは、第１剛毛が、円柱状あるいは円錐形状幾何学形状である標準的な剛毛である場合より、化粧用ブラシの剛毛部分における外側の囲いにおいて、さらに外側へ特に接線方向に延びることを達成する。これは、最初の区分する行為、すなわち取り扱うまつ毛あるいは髪の毛の最初の部分分けに有益な効果を有する。
【００２３】
これは、第１剛毛が夫々長方形の断面を有する、もう１つの好適実施例にも同様に適用される。
【００２４】
第１剛毛が円環部分（ｃｉｒｃｕｌａｒ  ｒｉｎｇ  ｓｅｇｍｅｎｔ）形状の断面で供給される実施例と、第１剛毛が長方形形状の断面で供給される実施例と、両方において、各第１剛毛は、上方へすなわちフリー剛毛エッジに向かって、特に鋭く先細りする円盤形状を有し、平らな面が基本的に軸方向に通常は向いている。底面では、すなわち本体からの変わり目の部分では、これらの円盤形状の第２剛毛は、軸方向に、マスカラブラシでは特に０．４ｍｍから１ｍｍの範囲にあり、ヘアカラーリング用ブラシでは特に０．７ｍｍから２．２ｍｍの範囲にある底面幅を有する。
【００２５】
さらに、第１剛毛が、外側へ、すなわち特に第１剛毛のフリー剛毛エッジの方向へ、本体の縦軸と本体の半径方向とによって定義される、少なくとも１つの平面で鋭くテーパー状をしている好適実施例に従って成されることもある。これにより、第１剛毛が、化粧用ブラシが回転動作をする間、髪の毛あるいはまつ毛が梳かれるように鋭いテーパー状の断面プロフィールと固定させることを達成する。これは、区分する、かつ梳かす、かつ分離する良い効果を得るのに有益である。
【００２６】
他の好適実施例に従うと、第１剛毛は夫々段状になった表面を有する。この方式では、カールする効果を得ることができ、まつ毛あるいは髪の毛が、回転動作で化粧用ブラシが引き出されることにより上方へカールされる。
【００２７】
他の好適実施例に従うと、各第１剛毛は貫通孔を有する。あるいは夫々第１剛毛のフリー剛毛エッジに特に部分円／扇形形状あるいはＶ字型形状の縁のくぼみを有する。そして、貫通孔と縁のくぼみとは、用いる化粧用製品、すなわちマスカラあるいはヘアダイのための夫々貯蔵場所として役立つことができる。この化粧用製品もまた、滑るあるいは滑らかにする確かな効果を有し、これにより、第１取り扱いステップの間部分分けの効果を高める。
【００２８】
他の好適実施例に従うと、第１剛毛は、少なくとも部分的に幾何学的形状においてあるいは幾何学的大きさにおいて互いに異なる。これは、円周上の位置において見られるような化粧用ブラシの初期の位置次第で、異なる性能特性を得ることを可能にする。特に、例えば区分する、あるいは分離する、あるいは梳かす効果のような、特定の効果を高めることもまた、化粧用ブラシが回転するときこの方式でもたらすことができる。この効果は、最初はわずかに述べられるだけかもしれないが、化粧用ブラシを回転させる角度が増大するほど述べられることが多くなる。
【００２９】
上述した好適実施例を、特に、本発明に従う化粧用ブラシの変形例として、相互に所望するように組み合わせて供給することもできる。
【００３０】
本発明の他の特徴、利点及び詳細は、以下に図面と併せて実施例を説明することにより明らかになるだろう。
【図面の簡単な説明】
【００３１】
【図１】２種類の剛毛を用いた化粧用ブラシの第１実施例の透視図である。
【図２】２種類の剛毛を用いた化粧用ブラシの第１実施例の図１のII−IIに沿った横断面図である。
【図３】２種類の剛毛を用いた化粧用ブラシの第１実施例の側面詳細図である。
【図４】２種類の剛毛を用いた化粧用ブラシの第２実施例の正面から見た平面図である。
【図５】２種類の剛毛を用いた化粧用ブラシの第２実施例の正面部分の透視図である。
【図６】２種類の剛毛を用いた化粧用ブラシの第３実施例の正面から見た平面図である。
【図７】２種類の剛毛を用いた化粧用ブラシの第３実施例の正面部分の透視図である。
【図８】２種類の剛毛を用いた化粧用ブラシの第４実施例の正面から見た平面図である。
【図９】２種類の剛毛を用いた化粧用ブラシの第４実施例の透視図である。
【図１０】２種類の剛毛を用いた化粧用ブラシの第５実施例の正面から見た平面図である。
【図１１】２種類の剛毛を用いた化粧用ブラシの第６実施例の正面から見た平面図である。
【図１２】２種類の剛毛を用いた化粧用ブラシの第７実施例の正面から見た平面図である。
【図１３】２種類の剛毛を用いた化粧用ブラシの第７実施例の透視図である。
【図１４】２種類の剛毛を用いた化粧用ブラシの第８実施例の正面から見た平面図である。
【図１５】２種類の剛毛を用いた化粧用ブラシの第８実施例の部分的な透視図である。
【図１６】２種類の剛毛を用いた化粧用ブラシの第９実施例の正面から見た平面図である。
【発明を実施するための形態】
【００３２】
図１〜１６の同じ符号は同じものを示している。図１〜３は、マスカラブラシの形態をした化粧用ブラシ１の実施例を示している。このブラシは、円形横断面幾何学形状をもって射出成形されたプラスチックピースとして構成されている。射出成形された化粧用ブラシ１は、主要コンポーネントとして剛毛部分２と、この剛毛部分２に対して軸方向に射出成形された柄延長片３とを有し、剛毛部分２と柄延長片３とは、縦中心軸４の方向に延びている。柄延長片３に取付け可能であるのが、化粧用ブラシ１の柄部分であるが、図１〜３には示されていない。剛毛部分２は、中心本体５を含んでおり、この中心本体５は、基本的には中空円柱として構成され、特に柄延長片３に対して一体接合されている。この中空円柱形本体５の外周面を囲んで配置されているのは、多数の第１剛毛６及び第２剛毛７である。本体５は、この第１剛毛６及び第２剛毛７のためのキャリアとしての役割をし、剛毛６及び７は、本体５から夫々放射状に外側へ突き出ている。
【００３３】
第１剛毛６は、本体５の外周面に対して夫々一体射出成形されている。すなわち、本体５に対して一体となって接合されている。剛毛６は、外側に向かった、鋭くテーパー状をしている盤として構成され、この盤は、夫々扇形形状を有し、夫々第２剛毛７のうちの１つの円周方向に交互に並んでいる。剛毛６は、中心角αを成して円周方向に延び、図１〜３の実施例に示されている角度は４０°である。第１剛毛６は、この本体５と同じプラスチック材から成っている。図３の側面図から特に明らかであるように、第１剛毛６は、縦中心軸４と半径方向とによって定義されている縦断面において鋭く先細りしている。従って、接線方向に対して垂直である断面では、この剛毛６は横断面を有し、この横断面は、各第１剛毛６のフリー剛毛エッジ８に向かって鋭く先が細くなっている。
【００３４】
第２剛毛７は、本体５に対して第１剛毛６とは異なって接合されている。ここでは、特に、摩擦によってかつ形状に合わせて接合されており、これは、製造のために用いられる２ステップ射出成形工程に起因し、特許文献２で開示されている。第２剛毛７は、中空円柱形本体５の壁に形成されている貫通孔を介して延び、夫々フリー剛毛エッジに向かって、鋭く先細りしている又はわずかに丸くなっている、テーパー状円錐形状を有する。第２剛毛７は、接合ストランド９によるこの製造工程のために、互いに一体接合され、この接合ストランド９は、縦中心軸４の方向に本体５の内部に延びている。接合ストランド９と第２剛毛７とは、同じプラスチック材から成り、本体５と第１剛毛６とのプラスチック材とは異なっている。
【００３５】
射出成形された化粧用ブラシ１は、剛毛部分２内部が２つの部分として構成されている。第１コンポーネントは、一体成形された第１剛毛６とともに本体５によって形成されている。第２コンポーネントは、同様に一体成形された第２剛毛７とともに接合ストランド９によって形成されている。本体５と接合ストランド９とは互いに直接隣接し、特に本体５の内側の中空空間の領域の中で互いに直接接合している。特に上述した製造工程のために、境界領域では、この２つのコンポーネントの間の堅固に接着された及び／又は粘着された接合が、少なくとも部分的に生じるかもしれない。
【００３６】
異なる材料及び／又は異なる形状及び／又は大きさのために、第１剛毛６は、第２剛毛７より弾性がない。第１剛毛６は硬い剛毛で、第２剛毛７は柔らかい剛毛である。特に、第１剛毛６と本体５とは、より硬い材料であるために、本体５と化粧用ブラシ１との全体としての十分な機械的安定性と支持力とを同時に確実にしている。
【００３７】
各第１剛毛６と第２剛毛７とは、縦中心軸４の方向に延びている夫々全部で４つの縦列に連続配置されている。接線方向に、１つの剛毛タイプ、すなわち第１剛毛６又は第２剛毛７のどちらかの隣接する列は、夫々互いに９０°を成している。原則として、例えば両剛毛タイプが夫々３列であるように、異なる数の列もまた可能であり、円周に均等に配置されることもあり、すなわち夫々１２０°の中心角を成して配置される（図４〜７を少なくとも部分的に参照すること）。
【００３８】
図１〜３で示されている実施例では、第２剛毛７が縦軸ブリッジ１０上に通常の列で配置され、このブリッジ１０は、本体５の外周面上に縦中心軸４の方向に延びている。類似の縦軸ブリッジも、第１剛毛６に供給されるかもしれない（例えば、図４〜１３に従う実施例を参照すること）。これらの縦軸ブリッジ１０はカールさせる効果を生み出す。つまり、回転させて梳かす動きをする間、まつ毛がこれらの縦軸ブリッジ１０にもたれて停止し、これにより上方へカールされる。
【００３９】
以下に説明する他の実施例では、さらに、各本体５に対して異なる方式で接合され、異なる程度の弾性又は硬さを有する夫々供給される２つの異なる剛毛タイプがある。１つの剛毛タイプが一体接合するのに対し、第２剛毛タイプでは、再び、上述した射出成形工程に起因して、摩擦による及び／又は形状に合わせた接合が生じる。
【００４０】
もう１つの化粧用ブラシ１１の図４及び５に示されている実施例では、第１剛毛６は、化粧用ブラシ１と同様に、縦中心軸４に対して垂直である横断面において、扇形の形状をした横断面を有する。しかし、この実施例では、すでに述べたように、これらの第１剛毛６の３列のみが備えられ、この列は、円周でずれて配置されている。さらに、これも上述したように、第１剛毛６は、縦軸ブリッジ１２上に配置され、このブリッジ１２は、中空円柱形本体５と一体接合を形成する。しかし、化粧用ブラシ１と対照的に、化粧用ブラシ１１は、第１剛毛６の２列の間の各場合において、剛毛７の３列を配置し、この３列は、円周部分１３を形成し、第２剛毛７のみが供給される。
【００４１】
図６及び７は、もう１つの化粧用ブラシ１４の実施例を示している。図１〜５の化粧用ブラシ１及び１１と大きく異なる点は、第１剛毛１５の幾何学的形状にある。剛毛１５は、縦中心軸４に対して垂直である横断面に長方形状横断面を有する。
【００４２】
本体５に対して一体射出成形された第１剛毛のさらなる変形は、図８〜１６と共に以下に説明する実施例から明らかになるだろう。
【００４３】
図８及び９に従う化粧用ブラシ１６の実施例では、第１剛毛１７が、再び扇形形状の横断面を有して供給される。しかし、この第１剛毛１７は、夫々貫通孔１８を備えている。
【００４４】
図１０で示されている化粧用ブラシ１９のさらなる実施例は、くぼみ２３が各フリー剛毛エッジ８に備えられている扇形形状第１剛毛２１を有し、図１１で示されている化粧用ブラシ２０のさらなる実施例は、くぼみ２４がフリー剛毛エッジ８に備えられている扇形形状第１剛毛２２を有する。化粧用ブラシ１９の第１剛毛２１のくぼみ２３は、部分円／扇形形状に構成されている（図１０を参照のこと）一方、化粧用ブラシ２０の第１剛毛２２のくぼみ２４はＶ字型を有する。
【００４５】
図１２及び１３で示されているもう１つの化粧用ブラシ２５の実施例では、第１剛毛２６が段の付いた表面を有する。この実施例では、各第１剛毛２６は、夫々各平らな面に段２７を有する。しかし、原則として、他の実施例が、平らな面がこのような段２７を複数有することも同様に可能である。
【００４６】
図１４及び１５に示されている化粧用ブラシ２８のもう１つの実施例は、前述の実施例とは異なり、第１剛毛２９が、夫々隣接する第２剛毛７に直接至るまで円周方向に延びて備えられている。従って、各第１剛毛２９は、円周方向に隣接する２つの第２剛毛７と直接的に／間接的に接合する。接合点で、夫々第２剛毛７の外側の幾何学的形状は、隣接する第１剛毛２９の狭い正面の外側の幾何学的形状に適合している。第２剛毛７は、第１剛毛２９より遠くへ放射状に延び出している。
【００４７】
図１６に従う化粧用ブラシ３０のもう１つの実施例にも同様のことを適用しており、第１剛毛３１及び３２は、異なる幾何学的な大きさを有して備えられている。特に第１剛毛３１は、第１剛毛３２より若干遠くへ放射状に延び出している。
【００４８】
本明細書では、基本的に第１剛毛の変形を説明した。第２剛毛７に対しても、基本的な円錐形状からの変形は可能である。例えば、特に、エッジを備えている勾配のない横断面を有することも可能である。しかし、好適例は、この横断面が外側の放射状の剛毛エッジに近付くほど、横断面が減少し続ける変形である。従って、この剛毛の幾何学的形状も、フリー剛毛エッジに向かって鋭く先細りする。
【符号の説明】
【００４９】
１、１１、１４、１６、１９、２０、２５、２８、３０  化粧用ブラシ
２  剛毛部分
３  柄延長片
４  縦中心軸
５  中心本体
６、１５、１７、２１、２２、２６、２９、３１、３２  第１剛毛
７  第２剛毛
８  フリー剛毛エッジ
９  接合ストランド（接合材）
１０、１２  縦軸ブリッジ
１３  円周部分
１８  貫通孔
２３、２４  くぼみ
２７  段
α  中心角
【図１】
2009183702.tif 000003
【図２】
2009183702.tif 000004
【図３】
2009183702.tif 000005
【図４】
2009183702.tif 000006
【図５】
2009183702.tif 000007
【図６】
2009183702.tif 000008
【図７】
2009183702.tif 000009
【図８】
2009183702.tif 000010
【図９】
2009183702.tif 000011
【図１０】
2009183702.tif 000012
【図１１】
2009183702.tif 000013
【図１２】
2009183702.tif 000014
【図１３】
2009183702.tif 000015
【図１４】
2009183702.tif 000016
【図１５】
2009183702.tif 000017
【図１６】
2009183702.tif 000018
【外国語明細書】
2009183702000001.pdf
2009183702000002.pdf
2009183702000003.pdf
2009183702000004.pdf